(57)【要約】【課題】ルアー釣りのワーム１において、釣り針１０を掛けていた部分や重り４が差し込まれた先端などからワームが身切れしてしまうことを防ぐルアー釣り用ワーム仕掛けを提供する。【解決手段】ワーム１の頭に相当する先端３に露出して鉛の重り４が設けられ、この鉛が一端に取り付けられた針金５が、ワーム１にインサート成形されている。この針金５の他端に形成されたループ状部分７は、ワーム１の略背部９から露出している。ループ状部分７は、略楕円型をしており、釣り針１０を刺すことができる短いゴム管材１１で覆われ、釣り針１０を係止するための係止部１３となる。また、針金５は、重り４と係止部１３を連結する連結部１５となる。【選択図】図1
2006115747.tif 000002
【特許請求の範囲】
【請求項１】
ルアー釣り用の軟質材からなるワームと、このワームに設けられる重りと、前記ワームに設けられ釣り針を係止するための係止部と、前記重りと前記係止部を連結し前記ワーム内に設けられる連結部と、からなることを特徴とするルアー釣り用ワーム仕掛け。
【請求項２】
前記重りは、ワームの先端に露出して設けられる鉛であり、前記連結部は、前記鉛が一端に取り付けられ前記ワームにインサート成形された針金であり、前記係止部は、この針金の他端に形成されたループ状部分であることを特徴とする請求項１に記載のルアー釣り用ワーム仕掛け。
【請求項３】
前記ループ状部分は、略楕円型をしており、釣り針を刺すことができるゴム材あるいは合成樹脂で覆われていることを特徴とする請求項２に記載のルアー釣り用ワーム仕掛け。
【発明の詳細な説明】
【技術分野】
【０００１】
この発明は、ルアー釣り用の軟質材からなるワームに関する。
【背景技術】
【０００２】
図４（Ａ）に示すように、ルアー釣り用のルアーの一種として、軟質材からなるワーム１０１がある。ワーム１０１は、加熱して溶かした軟質材を型に流し込んで製造する。このワーム１０１は一般に細長い形をしている。そして、先端にネイルシンカーと呼ばれる細い金属の重り１０２を差し込んで、長手方向の中ほどに釣り針１０３（なお、釣り針につけられる釣り糸はこの明細書では省略する）をちょん掛けしてつる方法を、通称ネコリグといい、バスなどの釣果がいいことで知られる。  
【発明の開示】
【発明が解決しようとする課題】
【０００３】
従来のネコリグにおいて、ワーム１０１に加わる力は、釣り針１０３によって引っ張られる力と、この引っ張られる際に受ける水の抵抗と、引っ張られながら重り１０２によって沈み湖底などに接触して受ける接触力などがある。
しかしながら、ワーム１０１を形成している軟質部材は、一般に、切れやすく弱い。そして、釣り針１０３によって引っ張られる力は、水の抵抗とは逆方向になり、しかも局部的なので図４（Ｃ）に示すように、釣り針１０３を掛けていた部分からワームが身切れ１０５してしまうことが多い。  
【０００４】
また、重り１０２が差し込まれた先端などは、重り１０２の重さと、逆方向に働く水の抵抗とで強いモーメント力を受ける。あるいは、湖底などに部分的に激しく接触する。よって、図４（Ｂ）に示すように、軟質部材が身切れ１０４し、あるいは重り１０２の差し込み口から重り１０２が脱落し無くなってしまうことが多い。
この他にも、ネコリグを投入したときや、かかった魚が暴れたときにも身切れ１０５を起こすことが多い。
【０００５】
なお、重り１０２の差し込まれたワーム１０１の先端をライターなどの火であぶって部分的に変質させ、重り１０２の脱落を防ぐ方法も釣り客の間では行われるが、面倒であり、また、重たい重り１０２を使用するときには効果が弱かった。
【０００６】
この発明は、以上の問題点を解決するために、釣り針を掛けていた部分の身切れ部分や重りが差し込まれた先端などからワームが身切れして重りが脱落してしまうことを防ぐルアー釣り用ワーム仕掛けを提供することを目的とする。
【課題を解決するための手段】
【０００７】
以上の課題を解決するために、第一発明は、ルアー釣り用の軟質材からなるワームと、このワームに設けられる重りと、前記ワームに設けられ釣り針を係止するための係止部と、前記重りと前記係止部を連結し前記ワーム内に設けられる連結部と、からなることを特徴とするルアー釣り用ワーム仕掛けである。
第二発明は、さらに、前記重りは、ワームの先端に露出して設けられる鉛であり、前記連結部は、前記鉛が一端に取り付けられ前記ワームにインサート成形された針金であり、前記係止部は、この針金の他端に形成されたループ状部分であることを特徴とするルアー釣り用ワーム仕掛けである。
第三発明は、前記ループ状部分は、略楕円型をしており、釣り針を刺すことができるゴム材あるいは合成樹脂で覆われていることを特徴とする請求項２に記載のルアー釣り用ワーム仕掛けである。
【発明の効果】
【０００８】
第一、第二、又は第三発明によれば、釣り針と重りを連結する連結部がワーム内に設けられるので、ワームの釣り針、あるいは重りの付近に加わる力は、直接にワームだけに加わることがない。すなわち、この力に対して、釣り針、連結部、及び重りが一体的になって、あたかも背骨のようにワームを内側から支え、よって身切れを防止する。
【０００９】
第二、又は第三発明によれば、更に、連結部は針金で構成され又係止部を兼ねることになるので、簡単な構造で済み、コストを安くできる。
第三発明によれば、更に、係止部から釣り針が外れてしまうことが防止できる。
【発明を実施するための最良の形態】
【００１０】
この発明の実施形態に係るルアー釣り用ワーム仕掛けを、図１、及び図２に示す。
図１に示すように、ルアー釣り用の疑似餌としての水中虫や小魚に似せて、軟質材からなるワーム１が形成される。このワーム１の頭に相当する先端３に露出して鉛の重り４が設けられる。この鉛が一端に取り付けられた針金５が、ワーム１にインサート成形されている。この針金５の他端に形成されたループ状部分７は、ワーム１の略背部９から露出している。ループ状部分７は、略楕円状をしており、釣り針１０を刺すことができる短いゴム管材１１で覆われている。
【００１１】
このゴム管材１１で覆われたループ状部分７が、釣り針１０を係止するための係止部１３となる。また、針金５は、重り４と係止部１３を連結する連結部１５となる。
図２に示すように、この実施形態のルアー釣り用ワーム仕掛けは、型によって一体的にインサート成形される。
【００１２】
すなわち、まず図１（Ｂ）に示すように、ワーム１の頭に相当する先端３から背部に届く長さの針金５を用意し、一端をＬ字状１６に曲げ、他端をループ状に曲げループ部分７を形成する。次に、釣り用の重り４としての略球状の鉛玉１７を用意し、鉛玉１７の切欠部分１９に、針金５のＬ字状１６に曲げた部分を挟み、鉛玉１７をペンチなどで挟んでつぶし、鉛玉１７と針金５を連結する。
【００１３】
次に、図２に示すようにワーム１を成形する型２１を用意する。この型２１は、二つあわせで、各々は外側が木のベース２３で、内側がエポキシ系の材料からなるパテ２５で形成される。パテ２５には、材料となる軟質材を加熱して溶かして流し込むための凹部２７が形成されている。軟質材としては、例えば、ソフトプラスチック、塩化ビニール、ブドウ糖の連鎖によって作り出され数ヶ月で水中で分解する食品繊維などが使用できる。使用しなくなった古いワームなどを使用してもよい。
【００１４】
この凹部２７には、流し込みのための路２９のほかに、重りとしての鉛玉１７を位置させるための第１凹所３１、針金５のループ状部分７を位置させるための第２凹所３３が追加される。
【００１５】
そして、鉛玉１７と針金５を連結したものをこの凹部２７に入れ、その際に第１凹所３１に鉛玉１７を位置させ、第２凹所３３に針金５のループ状部分７を位置させる。その後に、型２１を二つあわせ、流し込みのための路２９の外側口から、材料となる軟質材を加熱して溶かして流し込む。やがて、材料が固まった後に、型２１を開き、形成されたワーム１を取り出すと、ワーム１の頭から重りが、背部から針金５のループ状部分７が露出している。このループ状部分７に短いゴム管材１１を被せる。このようにして、この実施形態のルアー釣り用ワーム仕掛けは完成する。
【００１６】
「実施形態の効果」
この実施形態によれば、連結部１５としての針金５がワーム１内に設けられるので、ワーム１の釣り針１０、あるいは重り４の付近に加わる力が、直接にワーム１だけに加わってしまう部分がない。すなわち、これらの力に対して、釣り針１０、連結部１５、及び重り４が一体的になって、抗する。特に、連結部１５の針金５があたかも背骨のようにワーム１を内側から支え、よって身切れを防止することができる。
【００１７】
また、連結部１５は針金５で構成され、さらに係止部１３を兼ねるので、簡単な構造で済み、コストを安くできる。更に、ゴム管材１１を用いることで、係止部１３から釣り針１０が外れてしまうことが防止できる。
【００１８】
また、重り４を露出することで、ワーム１が重り４により沈んだ状態で引っ張られながら湖底などに接触して受ける接触力を、重り４の部分で受けることができ、よって重り４、連結部１５、釣り針１０、釣り糸、及び釣竿へと接触力が直接に伝わり、これにより釣竿から得られる感度がよくなり、湖底の様子、例えばゴロタ石なのか、砂地なのか、泥地なのかなどが推測しやすくなる。
【００１９】
また、この実施形態は、ワームの先端の鉛に対し針金からなる連結部を介して係止部が設けられ、この係止部に釣り針を係止するので、釣り針すなわち釣り糸は、ワームの先端から離れた略中央部分に力を伝える。このような釣り糸とワームの位置関係を有する仕掛けを、通称ネコリグという。このようなネコリグは、釣竿を持ち上げ釣り糸がワームを引っ張ると、ワームの略中央部分が引っ張られ、水中で、まるで起き上がりこぼしのように大きく動いて、うまく魚を誘う。
【００２０】
これに対し、釣り糸がワームの先端の鉛に連結し、この鉛に取り付けられた釣り針がワームの内部を通って、ワームの途中から露出する仕掛けを、通称ジグヘッドという。このようなジグヘッドは、釣竿を持ち上げ釣り糸がワームを引っ張ると、ワームの先端が引っ張られ、水中での動きは、比較的に小さい。
よって、互いにやや似た仕掛けの構造ではあっても、ネコリグが魚を誘う効果が大きい。
【００２１】
「他の実施形態」
以上の実施形態では、ループ状部分７には、ゴム管材１１を被せたが、他の実施形態では、図３（Ａ）に示すように、釣り針１０を刺すことができる合成樹脂であらかじめ覆っておくことができる。
【００２２】
また、以上の実施形態では、ループ状部分７は略楕円状をしていたが、他の実施形態では、図３（Ｂ）に示すように、円形状でもかまわない。また、三角形でもかまわない。
【００２３】
また、以上の実施形態では、重り４は略球状であったが、他の実施形態では、図３（Ａ）に示すように、楕円球状の鉛玉１７を用いてもよい。また、図３（Ｂ）に示すように、円錐形状であってもよい。円錐形状にすることで、ワーム１が重りにより沈んだ状態で引っ張られながら湖底などに接触して進むときに、障害物を突破することが容易になる。
また、ワーム１の先端に向かって半円球状であってもよい。
【００２４】
なお、これらの重りと針金５との境目に、重りから延び針金を包むスリーブ状部分を設けてもよい。このスリーブ状部分の端部にとがった返しであるワームストッパーを形成して、ワームとのずれを防止する引っ掛かりとすることもできる。
【００２５】
以上の実施形態では、重りは露出していたが、他の実施形態では、インサート成形時にワーム１内に重り４を隠してもよい。
以上の実施形態では、釣り針１０を係止するための係止部１３は針金５と一体のループ状部分７であったが、他の実施形態では、針金５などの連結部１５と別体としてもよい。
【００２６】
以上の実施形態では、連結部１５は針金５であったが、他の実施形態では、針金５よりも柔軟性があり、ワーム１よりも丈夫な他の材料、例えばプラスチック材料によって作ることもできる。このとき、このプラスチック材料の柔軟性を高くし、幅を広くすることで、柔軟な背骨のようにワーム１を内側から柔らかく支えることができ、身切れをより防止することができる。
【００２７】
以上の実施形態では、連結部１５の長さは、ワーム１の頭に相当する先端３から略背部９に至る距離に相当するが、他の実施形態では、これよりも短く、あるいは長くすることができる。この長さは、ある程度あれば効果がある。
以上の実施形態では、重りは鉛であったが、他の実施形態ではブラスやタングステンなどの金属を使うことが可能である。
【００２８】
以上の実施形態では、鉛玉１７の切欠部分１９に、針金５のＬ字状１６に曲げた部分を挟み、鉛玉１７をペンチなどで挟んでつぶして、鉛玉１７と針金５を連結するものであったが、他の実施形態では、型に溶かした鉛を流し込み針金５を中にインサートすることで、鉛玉１７と針金５を一体的に連結することもできる。
【００２９】
以上の実施形態では、重りは金属である鉛を裸で用いたが、他の実施形態では、合成樹脂製のラバースカートと呼ばれる多数の放射状糸を装着してもよい。これによりバスなどの魚を誘う力が増す。
【００３０】
以上の実施形態では、重り４、針金５、ワーム１は型２１により一体的に成形されるものとしたが、他の実施形態では、重り４と針金５を型により一体成形し、別の型で成形されたワーム１に対し、挿入して取り付けてもよい。このように、ワーム１と、重り４及び針金５を別成形とすることで、多数の種類の中から任意のワームを選んで重り４及び針金５を取り付けることができる。
【図面の簡単な説明】
【００３１】
【図１】この発明の一実施形態を示すルアー釣り用ワーム仕掛けを示すもので（Ａ）は全体図（Ｂ）は要部分解図である。
【図２】この実施形態のルアー釣り用ワーム仕掛けをインサート成形するための型を示す斜視図である。
【図３】（Ａ）（Ｂ）はそれぞれ、この発明の他の実施形態の要部を示すもので、図１（Ｂ）に対応する図である。
【図４】従来のルアー釣りに用いるワームの仕掛けを説明するもので（Ａ）は全体図（Ｂ）は（Ａ）の問題を示す図（Ｃ）は（Ａ）の他の問題を示す図である。
【符号の説明】
【００３２】
１…ワーム、３…先端、４・・重り、５…針金、７…ループ状部分、９…略背部、１１…ゴム管材、１３…係止部、１５…連結部、１７…鉛玉、１９…切欠部分、２１…型、２３…ベース、２５…パテ、２７…凹部、２９…路、３１…第１凹所、３３…第２凹所、１０１…ワーム、１０３…針、１０４，１０５・・身切れ。
【図１】
2006115747.tif 000003
【図２】
2006115747.tif 000004
【図３】
2006115747.tif 000005
【図４】
2006115747.tif 000006